(57)【要約】【課題】主に、被覆材の厚みで合せ面部の位置が変化しないようにする。【解決手段】インストルメントパネル１に、空調グリル部品５を取付可能なグリル部品取付部１４が設けられ、空調グリル部品５が、入側風路部１６と、入側風路部１６に対して張出す出側枠部１７とを有し、グリル部品取付部１４が、入側風路部１６を挿通配置可能な貫通穴部１８と、出側枠部１７を収容配置可能な枠部用凹部１９とを備え、枠部用凹部１９の底部に、空調グリル部品５に対する当て面部２７が設定され、枠部用凹部１９の内壁面２２に、出側枠部１７の外側面に対する合せ面部３２が設定された空調グリル部品取付構造であって、インストルメントパネル１に被覆材３６を貼着する場合に、被覆材３６の厚みで合せ面部３２の位置が変化しないように、インストルメントパネル１の枠部用凹部１９の内壁面２２を対応する底部と共に切除するためのトリミング予定線部４１を、枠部用凹部１９の裏面側に、予め形成するようにしている。【選択図】図１
2008302880.tif 000002
【特許請求の範囲】
【請求項１】
インストルメントパネルに、空調グリル部品を取付可能なグリル部品取付部が設けられ、
空調グリル部品が、入側風路部と、該入側風路部に対して張出す出側枠部とを有し、
グリル部品取付部が、入側風路部を挿通配置可能な貫通穴部と、出側枠部を収容配置可能な枠部用凹部とを備え、
枠部用凹部の底部に、空調グリル部品に対する当て面部が設定され、
枠部用凹部の内壁面に、出側枠部の外側面に対する合せ面部が設定された空調グリル部品取付構造において、
インストルメントパネルに被覆材を貼着する場合に、被覆材の厚みで前記合せ面部の位置が変化しないように、インストルメントパネルの枠部用凹部の内壁面を対応する底部と共に切除するためのトリミング予定線部を、枠部用凹部の裏面側に、予め形成したことを特徴とする空調グリル部品取付構造。
【請求項２】
トリミング予定線部を、薄肉段差部としたことを特徴とする請求項１記載の空調グリル部品取付構造。
【請求項３】
貫通穴部の奥方に、予め別の当て面部を設けたことを特徴とする請求項１または２記載の空調グリル部品取付構造。
【請求項４】
インストルメントパネルの裏面側に補強部材を一体に設け、該補強部材に、前記別の当て面部を形成したことを特徴とする請求項３記載の空調グリル部品取付構造。
【発明の詳細な説明】
【技術分野】
【０００１】
この発明は、空調グリル部品取付構造に関するものである。
【背景技術】
【０００２】
自動車などの車両には、車室内の前部にインストルメントパネルが設けられている。このインストルメントパネルには、通常、空調用エアの吹出口となる空調グリル部品が取付けられている（例えば、特許文献１参照）。
【０００３】
図１１は、インストルメントパネル１の例を示すものであり、このインストルメントパネル１では、フロントウインドガラス２の窓枠（横窓枠）などを構成するいわゆるＡピラー３の基部の下部で、且つ、インストルメントパネル１の車幅方向４の端部の位置に、空調グリル部品５（サイドベンチレータグリル）が設置されている。この場合、空調グリル部品５は、角型とされており、上下方向６に短く、車幅方向４に長い、ほぼ横長の長方形状を呈している。このような空調グリル部品５には、丸型のものなども存在している。
【０００４】
なお、インストルメントパネル１における空調グリル部品５の下縁部よりも下側の部分には、木目調の加飾フィニッシャー７が取付けられている。また、この木目調の加飾フィニッシャー７の下部には、グローブボックス８が設置されている。
【０００５】
上記したインストルメントパネル１には、図１２に示すように、芯材１１と表皮材１２と発泡層１３とを有する三層構造のものが存在している。このような三層構造のインストルメントパネル１は、芯材１１と表皮材１２とがセットされた図示しない発泡成形装置の発泡型内に発泡剤（薬液）を注入して、芯材１１と表皮材１２との間に発泡層１３を発泡形成することによって一体物となるように製造されている。
【０００６】
このようなインストルメントパネル１に対し、空調グリル部品５を取付可能なグリル部品取付部１４が設けられる。
【０００７】
ここで、空調グリル部品５は、図１３に示すように、入側風路部１６と、この入側風路部１６に対して張出す出側枠部１７とを有している。
【０００８】
これに対し、図１２に示すように、グリル部品取付部１４は、入側風路部１６を挿通配置可能な貫通穴部１８と、出側枠部１７を収容配置可能な枠部用凹部１９とを備えている。貫通穴部１８と枠部用凹部１９とは、それぞれ、入側風路部１６および出側枠部１７とほぼ対応する大きさや形状や位置関係などを備えている。
【０００９】
この場合、枠部用凹部１９は、インストルメントパネル１の上記部分に対し、表皮材１２と発泡層１３とを設けずに、芯材１１を露出させることによって構成されている。
【００１０】
よって、枠部用凹部１９の底部は、露出された芯材１１による芯材露出部２１とされている。
【００１１】
また、枠部用凹部１９の内壁面２２（段差面）は、発泡層１３の端面を表皮材１２の対応する端末部で覆って成る、表皮端末被覆部２３とされている。
【００１２】
なお、図１１に示すように、グリル部品取付部１４がインストルメントパネル１の車幅方向４の端部（のギリギリ）の位置に設けられたことにより、枠部用凹部１９の外側方に位置する部分（図１２中、右側の部分）については、部分的に、内壁面２２が欠除された内壁面欠除部２４などとされている。但し、内壁面欠除部２４については、必須のものではない。
【００１３】
そして、貫通穴部１８は、枠部用凹部１９の底部における芯材露出部２１に形成されている。よって、芯材露出部２１は、貫通穴部１８の縁部となる。
【００１４】
これに対応させて、出側枠部１７は、枠部用凹部１９に設置した時に、その表面がインストルメントパネル１の表面２５とほぼ面一になるように、表皮材１２と発泡層１３との厚みの和とほぼ等しい厚さ寸法などを備えている。なお、入側風路部１６の奥端部には、図示しない空調ダクトが接続されるようになっている。
【００１５】
そして、グリル部品取付部１４と空調グリル部品５との間には、空調グリル部品５に対する当て面部２７が設けられる。この当て面部２７は、グリル部品取付部１４に対する空調グリル部品５の挿入量を規制したり、手付剛性を確保したりするなどのためのものである。この場合、当て面部２７は、枠部用凹部１９の底部（芯材露出部２１の表面）に設定されている。この芯材１１の表面に対し、出側枠部１７の裏面が当接される。
【００１６】
また、グリル部品取付部１４と空調グリル部品５との間には、空調グリル部品５をグリル部品取付部１４に対して係止保持可能な係止固定部２８が設けられる。この場合、係止固定部２８として、芯材露出部２１（当て面部２７）の裏面に係止可能な爪部２９が備えられている。この爪部２９は、空調グリル部品５の入側風路部１６の車幅方向４の両側面３１における、出側枠部１７の裏面から芯材１１（芯材露出部２１）の厚み分だけ奥方に隔てた位置に設けられている。
【００１７】
且つ、枠部用凹部１９の内壁面２２には、出側枠部１７の外側面に対する合せ面部３２が設定されている。但し、枠部用凹部１９の内壁面欠除部２４については、合せが行われない非合せ面部３３となる。
【特許文献１】特開２００４−３５１７１４
【発明の開示】
【発明が解決しようとする課題】
【００１８】
車種によっては、三層構造のインストルメントパネル１における表皮材１２の表面（インストルメントパネル１の表面２５）に対して、図１２に仮想線で示すように、本革３５などの被覆材３６を貼着して高級感を演出する仕様が設定される場合がある。被覆材３６には、１ｍｍ〜１．５ｍｍ程度の厚みがあるため、単純に被覆材３６を貼着した場合には、合せ面部３２の位置が、枠部用凹部１９の内壁面２２から、被覆材３６の対応する端末部の厚み分だけ他側部の側へ変位（横変位）して（合せ面部３７）、空調グリル部品５の合せが狂ってしまうことになる。すると、上記芯材露出部２１の裏面に対する、係止固定部２８の爪部２９のかかりが、合せ面部３２（合せ面部３７）の側が浅くなり、非合せ面部３３の側が深く成り過ぎるなどによって、空調グリル部品５をうまく取付けることができなくなってしまう。
【００１９】
そこで、従来は本革３５などの被覆材３６を貼着する仕様と、貼着しない仕様とで、発泡型を変えて調整したり、厚さ寸法の異なる表皮材１２を使用して調整したり、表皮材１２を後から削って厚みを変えるなどしたり、大きさの異なる空調グリル部品５を使用したりするなどして、造り分けを行うようにしていた。
【００２０】
しかし、このように、仕様によって造り分けを行うようにすると、コストや手間がかかるという問題があった。
【課題を解決するための手段】
【００２１】
上記課題を解決するために、請求項１に記載された発明では、インストルメントパネルに、空調グリル部品を取付可能なグリル部品取付部が設けられ、空調グリル部品が、入側風路部と、該入側風路部に対して張出す出側枠部とを有し、グリル部品取付部が、入側風路部を挿通配置可能な貫通穴部と、出側枠部を収容配置可能な枠部用凹部とを備え、枠部用凹部の底部に、空調グリル部品に対する当て面部が設定され、枠部用凹部の内壁面に、出側枠部の外側面に対する合せ面部が設定された空調グリル部品取付構造において、インストルメントパネルに被覆材を貼着する場合に、被覆材の厚みで前記合せ面部の位置が変化しないように、インストルメントパネルの枠部用凹部の内壁面を対応する底部と共に切除するためのトリミング予定線部を、枠部用凹部の裏面側に、予め形成したことを特徴としている。
【００２２】
請求項２に記載された発明では、トリミング予定線部を、薄肉段差部とした請求項１記載の空調グリル部品取付構造を特徴としている。
【００２３】
請求項３に記載された発明では、貫通穴部の奥方に、予め別の当て面部を設けた請求項１または２記載の空調グリル部品取付構造を特徴としている。
【００２４】
請求項４に記載された発明では、インストルメントパネルの裏面側に補強部材を一体に設け、該補強部材に、前記別の当て面部を形成した請求項３記載の空調グリル部品取付構造を特徴としている。
【発明の効果】
【００２５】
請求項１の発明によれば、インストルメントパネルに、空調グリル部品を取付可能なグリル部品取付部が設けられ、空調グリル部品が、入側風路部と、該入側風路部に対して張出す出側枠部とを有し、グリル部品取付部が、入側風路部を挿通配置可能な貫通穴部と、出側枠部を収容配置可能な枠部用凹部とを備え、枠部用凹部の底部に、空調グリル部品に対する当て面部が設定され、枠部用凹部の内壁面に、出側枠部の外側面に対する合せ面部が設定された空調グリル部品取付構造において、インストルメントパネルに被覆材を貼着する場合に、被覆材の厚みで前記合せ面部の位置が変化しないように、インストルメントパネルの枠部用凹部の内壁面を対応する底部と共に切除するためのトリミング予定線部を、枠部用凹部の裏面側に、予め形成したことにより、以下のような作用効果を得ることができる。即ち、トリミング予定線部で、インストルメントパネルの枠部用凹部の内壁面を対応する底部と共に切除することで、インストルメントパネルに被覆材を貼着しても、被覆材の厚みで合せ面部の位置が変化しないようにすることが可能となる。そして、予め形成されたトリミング予定線部に沿って切除することにより、簡単且つ正確に加工を行うことが可能となる。これにより、インストルメントパネルを簡単に後加工するだけで、共通の空調グリル部品を使用することが可能となる。よって、被覆材の有無による仕様上の造り分けが必要なくなり、その分、コストや手間を抑えることができる。例えば、発泡型を変えたり、厚さ寸法の異なる表皮材を使用したり、表皮材を削って厚味を変えたり、大きさの異なる空調グリル部品を使用したりするなどの必要をなくすことができる。
【００２６】
請求項２の発明によれば、トリミング予定線部を、薄肉段差部としたことにより、トリミング予定線部を簡単に形成することができると共に、より容易に切除を行うことが可能となる。
【００２７】
請求項３の発明によれば、貫通穴部の奥方に、予め別の当て面部を設けたことにより、トリミング予定線部によって枠部用凹部の底部の当て面部が切除されても、別の当て面部によって代替することが可能となる。
【００２８】
請求項４の発明によれば、インストルメントパネルの裏面側に補強部材を一体に設け、該補強部材に、前記別の当て面部を形成したことにより、インストルメントパネル（特に、グリル部品取付部の周囲）を部分的に補強することができると共に、補強部材によって別の当て面部の強度を確保することができる。
【発明を実施するための最良の形態】
【００２９】
以下、本発明を具体化した実施例について、図示例と共に説明する。
【実施例】
【００３０】
図１〜図１０は、この発明の実施例を示すものである。
【００３１】
なお、インストルメントパネルや空調グリル部品などの構成については、図１１などを用いて説明したものと基本的にほぼ同様なので、必要に応じてこの図面などを参照すると共に、これらに対する記載などを以てこの実施例の説明とすることができる。この際、同一ないし均等な部分については、同一の符号を付すようにしている。但し、構成の異なる部分については、図１〜図１０に拠るものとする。
【００３２】
まず、構成について説明する。
【００３３】
自動車などの車両には、車室内の前部にインストルメントパネルが設けられている。このインストルメントパネルには、通常、空調用エアの吹出口となる空調グリル部品が取付けられている。
【００３４】
図１１は、インストルメントパネル１の例を示すものであり、このインストルメントパネル１では、フロントウインドガラス２の窓枠（横窓枠）などを構成するいわゆるＡピラー３の基部の下部で、且つ、インストルメントパネル１の車幅方向４の端部の位置に、空調グリル部品５（この場合には、サイドベンチレータグリルとなっているが、これに限るものではない）が設置されている。この場合、空調グリル部品５は、角型とされており、上下方向６に短く、車幅方向４に長い、ほぼ横長の長方形状を呈している。このような空調グリル部品５には、丸型のものなども存在しており、丸型のものであっても良い。
【００３５】
なお、インストルメントパネル１における空調グリル部品５の下縁部よりも下側の部分には、木目調の加飾フィニッシャー７が取付けられている。また、この木目調の加飾フィニッシャー７の下部には、グローブボックス８が設置されている。但し、インストルメントパネル１の構成については、これに限るものではない。
【００３６】
上記したインストルメントパネル１には、図１に示すように（図２も併せて参照のこと）、芯材１１と表皮材１２と発泡層１３とを有する三層構造のものが存在している。このような三層構造のインストルメントパネル１は、芯材１１と表皮材１２とがセットされた図示しない発泡成形装置の発泡型内に発泡剤（薬液）を注入して、芯材１１と表皮材１２との間に発泡層１３（発泡材）を発泡形成することによって一体物となるように製造されている。
【００３７】
このようなインストルメントパネル１に対し、空調グリル部品５を取付可能なグリル部品取付部１４が設けられる。
【００３８】
ここで、空調グリル部品５は、入側風路部１６と、この入側風路部１６に対して張出す出側枠部１７とを有している。出側枠部１７は、入側風路部１６に対して、フランジ状に張出したものなどとすることができる。この場合、出側枠部１７は、入側風路部１６に対して、少なくとも車幅方向４に張出したものなどとされている。
【００３９】
これに対し、グリル部品取付部１４は、入側風路部１６を挿通配置可能な貫通穴部１８と、出側枠部１７を収容配置可能な枠部用凹部１９とを備えている。貫通穴部１８と枠部用凹部１９とは、それぞれ、入側風路部１６および出側枠部１７とほぼ対応可能な大きさや形状や位置関係などを備えている。
【００４０】
この場合、枠部用凹部１９は、インストルメントパネル１の上記部分に対し、表皮材１２と発泡層１３とを設けずに、芯材１１を露出させることによって構成されている。よって、枠部用凹部１９の底部は、露出された芯材１１による芯材露出部２１とされている。
【００４１】
また、枠部用凹部１９の内壁面２２（段差面）は、発泡層１３の端面を表皮材１２の対応する端末部で覆って成る、表皮端末被覆部２３とされている。
【００４２】
なお、図１１に示すように、グリル部品取付部１４がインストルメントパネル１の車幅方向４の端部（のギリギリ）の位置に設けられたことにより、枠部用凹部１９の、外側方に位置する部分（図１中、右側の部分）については、部分的に、内壁面２２が欠除された内壁面欠除部２４などとされている。但し、内壁面欠除部２４については、必須のものではない。
【００４３】
そして、貫通穴部１８は、枠部用凹部１９の底部における芯材露出部２１の部分に形成されている。よって、芯材露出部２１は、貫通穴部１８の縁部となる。但し、この実施例の場合には、後述するような別の当て面部４５が存在しているので、貫通穴部１８を、芯材露出部２１の際まで設けることにより、この縁部を小さなものとしたり、無くしたりすることも構造的には可能である。
【００４４】
これに対応させて、出側枠部１７は、枠部用凹部１９に設置した時に、その表面がインストルメントパネル１の表面２５とほぼ面一になるように、表皮材１２と発泡層１３との厚みの和とほぼ等しい厚さ寸法などを備えている。なお、入側風路部１６の奥端部には、図示しない空調ダクトが接続されるようになっている。入側風路部１６と空調ダクトとの接続部分には、比較的厚めのシール部材が介装される。
【００４５】
そして、グリル部品取付部１４と空調グリル部品５との間には、空調グリル部品５に対する当て面部２７が設けられる。この当て面部２７は、グリル部品取付部１４に対する空調グリル部品５の挿入量を規制したり、手付剛性を確保したりするなどのためのものである。この場合、当て面部２７は、枠部用凹部１９の底部（芯材露出部２１の表面）に設定されている。この芯材１１の表面に対し、出側枠部１７の裏面が当接される。なお、上記した縁部を無くすようにした場合には、この当て面部２７も無いものとなる。この場合、上下方向６には当て面部２７がほとんど無く（図５参照）、車幅方向４には比較的大きな当て面部２７が存在する（図１参照）ように設定されている。
【００４６】
且つ、枠部用凹部１９の内壁面２２には、出側枠部１７の外側面に対する合せ面部３２が設定されている。但し、枠部用凹部１９の内壁面欠除部２４については、合せが行われない非合せ面部３３となる。
【００４７】
なお、以上の構成は、上記した従来例のものとほぼ同様である。また、通常仕様の場合を基準として記載している。
【００４８】
そして、この実施例のものでは、上記した通常仕様に対し、図９に示すように（図１０も併せて参照のこと）、インストルメントパネル１（表皮材１２の表面など）に本革３５などの被覆材３６を貼着する仕様とする場合に、被覆材３６の（対応する端末部の）厚みで合せ面部３２の位置が変化（横変位）しないよう、図１に示すように、インストルメントパネル１の枠部用凹部１９の内壁面２２（の少なくとも一部）を、対応する底部（芯材露出部２１、当て面部２７）と共に切除するためのトリミング予定線部４１を、枠部用凹部１９の裏面側に、予め形成する。
【００４９】
このトリミング予定線部４１は、インストルメントパネル１における芯材１１の裏面側で、且つ、被覆材３６の厚み分だけ合せ面部３２よりも外周側となる位置に、合せ面部３２にほぼ沿って形成される。
【００５０】
この際、特に、トリミング予定線部４１を、芯材露出部２１（枠部用凹部１９の底部）の裏面側が薄肉部４２となる薄肉段差部４３（の段差線）とする。この薄肉段差部４３は、芯材１１に対してほぼ面直な段差形状を有するものとする。
【００５１】
そして、貫通穴部１８の奥方に、予め別の当て面部４５（第二の当て面部）を設けておくようにする。
【００５２】
そのために、インストルメントパネル１の裏面側に補強部材４６を一体に設けて、この補強部材４６に、別の当て面部４５を形成する。
【００５３】
この補強部材４６は、図３〜図５に示すように、芯材１１の裏面側に設けられる。この補強部材４６は、芯材１１（のグリル部品取付部１４周辺の一般部分）とほぼ平行な平行部４７と、芯材１１とほぼ面直な面直部４８とを有するものとする。平行部４７は、芯材１１の奥方における、入側風路部１６の中間部（奥端部に近い位置）と相当する位置（深さの部分）に設置される。面直部４８は、平行部４７の端部と芯材１１とを連結するために必要に応じて設けられる。この場合、補強部材４６は、平行部４７の一端部に対して面直部４８が設けられ、平行部４７の他端部は芯材１１の外側壁部分１１ｂの内面に直接接続された、側面視ほぼＬ字状とされている。なお、外側壁部分１１ｂは、芯材１１の一般面に対して、ほぼ面直に屈曲形成されている。補強部材４６は、平行部４７の両端部に面直部４８を設けて側面視ほぼＵ字状などとすることもできる。
【００５４】
このような補強部材４６は、図６に示すように、芯材１１の成形時に、スライド型４９などを用いることにより、芯材１１と一体に形成することが可能である。このスライド型４９は、脱型時に、芯材１１の一般面と平行で、面直部４８がなく、貫通穴部１８とは反対の方向へ向けて型抜きされる。なお、補強部材４６は、全体が、芯材１１とほぼ等しい肉厚などとされる。
【００５５】
この補強部材４６は、図５に示すように（図３、図４も併せて参照のこと）、入側風路部１６を挟んで対向するように一対設けられる。この場合、一対の補強部材４６は、貫通穴部１８の上下部に対し、車幅方向４に、互いにほぼ平行となるように設置されている。この一対の補強部材４６は、枠部用凹部１９の内壁面２２よりも若干外側（外周側）に配置されることにより、入側風路部１６（の上下方向６の両側面５１）との間に、所要の隙間が設けられる。
【００５６】
そして、補強部材４６における平行部４７から入側風路部１６へ向けて突出片５３が突設され、この突出片５３の手前面側に、別の当て面部４５が形成される。この場合、別の当て面部４５は、各補強部材４６に２箇所ずつ、合計４箇所設けられている。
【００５７】
これに対し、空調グリル部品５には、別の当て面部４５に対する当部５４が設けられる。この当部５４は、入側風路部１６の上下方向６の両側面５１に設けられた突出形状部５５の中間部（この場合には、入側風路部１６の奥端部寄りの位置とされている）に設けられている。これら別の当て面部４５と当部５４とは、入側風路部１６の上下方向６の両側面５１における各コーナー部の近傍部分に設置されている。
【００５８】
加えて、グリル部品取付部１４と空調グリル部品５との間には、空調グリル部品５をグリル部品取付部１４に対して係止保持可能な係止固定部２８が設けられる。この場合、係止固定部２８として、別の当て面部４５が設けられた突出片５３の裏面に係止可能な爪部５７が備えられている。この爪部５７は、突出形状部５５における当部５４から突出片５３の厚み分だけ奥方に隔てた位置に設けられている。この当部５４と爪部５７とは、突出片５３を挟着保持可能となるように設けられている。爪部５７は、係止面の奥側に導入テーパ部を有するものなどとされている。なお、図１２に示すような爪部２９は、設けても、設けなくても良い。この場合には、爪部２９は設けられていない。
【００５９】
なお、図１において、トリミング予定線部４１に沿って、枠部用凹部１９の内壁面２２（の少なくとも一部）と、対応する底部（芯材露出部２１、当て面部２７）とを切除すると、図７、図８に示すように、グリル部品取付部１４は、図１の貫通穴部１８と枠部用凹部１９とが少なくとも部分的になくなると共に、これらよりも（少なくとも部分的に）一回り大きい、新たな貫通穴部６１が形成される。なお、図７、図８では、参考のため空調グリル部品５が描かれているが、切除の際に、空調グリル部品５が取外されるのは勿論である。
【００６０】
そして、この新たな貫通穴部６１に、図９、図１０に示すように、本革３５などの被覆材３６を貼着することによって、合せ面部３２は、発泡層１３の端面を被覆材３６の対応する端末部で覆って成る、被覆材端末被覆部６２となる。この際、合せ面部３２は、被覆材３６を貼着しない場合と、同じ位置に保たれる。
【００６１】
次に、この実施例の作用について説明する。
【００６２】
インストルメントパネル１のグリル部品取付部１４に対する空調グリル部品５の取付けは、グリル部品取付部１４に対し、空調グリル部品５を、手前側から奥方へ向け、当て面部２７に当たるまで挿入し、空調グリル部品５とグリル部品取付部１４との間に設けられた係止固定部２８を係止・固定させることによって行われる。
【００６３】
そして、図１〜図５に示すように、被覆材３６が貼着されていないインストルメントパネル１の場合には、枠部用凹部１９の内壁面２２における表皮端末被覆部２３が、出側枠部１７の外側面に対する合せ面部３２となる。
【００６４】
また、枠部用凹部１９の底部における芯材露出部２１が、出側枠部１７の裏面に対する当て面部２７となる。同時に、貫通穴部１８の奥方に設けられた突出片５３の表面が、空調グリル部品５の突出形状部５５に設けられた当部５４に対する、別の当て面部４５となる。即ち、当て面部２７と別の当て面部４５とによって、二重に当られることとなる。
【００６５】
そして、グリル部品取付部１４に対し、空調グリル部品５が、係止固定部２８によって、係止保持される。この場合、別の当て面部４５が設けられた突出片５３の裏面に対して、爪部５７が係止される。
【００６６】
これに対し、インストルメントパネル１に被覆材３６を貼着する場合には、図７、図８に示すように、トリミング予定線部４１に沿って、枠部用凹部１９の内壁面２２（の少なくとも一部）と、対応する底部（芯材露出部２１、当て面部２７）とを切除して、新たな貫通穴部６１を形成する。
【００６７】
そして、図９、図１０に示すように、インストルメントパネル１の一般部分や新たな貫通穴部６１などに被覆材３６を貼着する。すると、合せ面部３２は、発泡層１３の端面を被覆材３６の対応する端末部で覆って成る、被覆材端末被覆部６２となり、合せ面部３２は、同じ位置のまま保持される。
【００６８】
よって、被覆材３６が貼着されていない場合と同じ空調グリル部品５を、同じ要領でグリル部品取付部１４に取付けることが可能となる。
【００６９】
これにより、枠部用凹部１９の内壁面２２における被覆材端末被覆部６２が、出側枠部１７の外側面に対する合せ面部３２となる。
【００７０】
また、貫通穴部１８の奥方に設けられた突出片５３の表面が、空調グリル部品５の突出形状部５５に設けられた当部５４に対する、別の当て面部４５となる。即ち、一重の当てとなる。
【００７１】
そして、グリル部品取付部１４に対し、空調グリル部品５が、係止固定部２８によって、係止保持される。この場合、別の当て面部４５が設けられた突出片５３の裏面に対して、爪部５７が係止される。
【００７２】
このように、この実施例によれば、インストルメントパネル１に、空調グリル部品５を取付可能なグリル部品取付部１４が設けられ、空調グリル部品５が、入側風路部１６と、入側風路部１６に対して張出す出側枠部１７とを有し、グリル部品取付部１４が、入側風路部１６を挿通配置可能な貫通穴部１８と、出側枠部１７を収容配置可能な枠部用凹部１９とを備え、枠部用凹部１９の底部に、空調グリル部品５に対する当て面部２７が設定され、枠部用凹部１９の内壁面２２に、出側枠部１７の外側面に対する合せ面部３２が設定された空調グリル部品５取付構造において、インストルメントパネル１に被覆材３６を貼着する場合に、被覆材３６の厚みで合せ面部３２の位置が変化しないように、インストルメントパネル１の枠部用凹部１９の内壁面２２を対応する底部と共に切除するためのトリミング予定線部４１を、枠部用凹部１９の裏面側に、予め形成したことにより、以下のような作用効果を得ることができる。
【００７３】
即ち、トリミング予定線部４１で、インストルメントパネル１の枠部用凹部１９の内壁面２２を対応する底部と共に切除することで、インストルメントパネル１に被覆材３６を貼着しても、被覆材３６の厚みで合せ面部３２の位置が変化しないようにすることが可能となる。そして、予め形成されたトリミング予定線部４１に沿って切除することにより、簡単且つ正確に加工を行うことが可能となる。
【００７４】
これにより、インストルメントパネル１を簡単に後加工するだけで、共通の空調グリル部品５によって代替することが可能となる。よって、被覆材３６の有無による仕様上の造り分けが必要なくなり、その分、コストや手間を抑えることができる。例えば、発泡型を変えたり、厚さ寸法の異なる表皮材１２を使用したり、表皮材１２を削って厚味を変えたり、大きさの異なる空調グリル部品５を使用したりするなどの必要をなくすことができる。
【００７５】
また、トリミング予定線部４１を、薄肉段差部４３としたことにより、トリミング予定線部４１を簡単に形成することができると共に、より容易に切除を行うことが可能となる。
【００７６】
更に、貫通穴部１８の奥方に、予め別の当て面部４５を設けたことにより、トリミング予定線部４１によって枠部用凹部１９の底部の当て面部２７が切除されても、別の当て面部４５によって代替することが可能となる。
【００７７】
そして、インストルメントパネル１の裏面側に補強部材４６を一体に設け、補強部材４６に、別の当て面部４５を形成したことにより、インストルメントパネル１（特に、グリル部品取付部１４の周囲）を部分的に補強することができると共に、補強部材４６によって別の当て面部４５の強度を確保することができる。
【００７８】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。
【図面の簡単な説明】
【００７９】
【図１】本発明の実施例にかかる空調グリル部品取付構造の側方断面図である。
【図２】図１を手前側から見た外観図である。
【図３】図１のグリル部品取付部の側方断面図である。
【図４】図３を手前側から見た外観図である。
【図５】図２のＡ−Ａ断面図である。
【図６】型抜状態を示す図５の部分拡大図である。
【図７】トリミング予定線部で切除した状態を示す、図１の空調グリル部品取付構造と同様の側方断面図である。
【図８】図７を手前側から見た外観図である。
【図９】被覆材を貼着した状態を示す、図１の空調グリル部品取付構造と同様の側方断面図である。
【図１０】図９を手前側から見た外観図である。
【図１１】従来例にかかる空調グリル部品取付構造を手前側から見た斜視図である。
【図１２】図１１の空調グリル部品取付構造の側方断面図である。
【図１３】図１１の空調グリル部品の斜視図である。
【符号の説明】
【００８０】
１    インストルメントパネル
５    空調グリル部品
１４  グリル部品取付部
１６  入側風路部
１７  出側枠部
１８  貫通穴部
１９  枠部用凹部
２２  内壁面
２７  当て面部
３２  合せ面部
３６  被覆材
４１  トリミング予定線部
４３  薄肉段差部
４５  別の当て面部
４６  補強部材
【図１】
2008302880.tif 000003
【図２】
2008302880.tif 000004
【図３】
2008302880.tif 000005
【図４】
2008302880.tif 000006
【図５】
2008302880.tif 000007
【図６】
2008302880.tif 000008
【図７】
2008302880.tif 000009
【図８】
2008302880.tif 000010
【図９】
2008302880.tif 000011
【図１０】
2008302880.tif 000012
【図１１】
2008302880.tif 000013
【図１２】
2008302880.tif 000014
【図１３】
2008302880.tif 000015